(57)【要約】【課題】外部信号により自動的な運転のＯＮ・ＯＦＦ切換を可能とする一方、給湯器本体の状態に応じて上記の外部信号による自動的な運転のＯＮ・ＯＦＦの許容又は禁止の調整を行い得る給湯装置を提供する。【解決手段】コントローラ５の接続端子５２に対しリモコン５１とは別に週間プログラムタイマ７を接続し、特定曜日の特定時刻にＯＮ指令を、特定時刻にＯＦＦ指令を外部信号としてコントローラに自動出力させる。外部入力制御部５５により外部信号に基づく自動運転を実行させる。但し、感震器６作動又は異常発生を受けて異常時制御部５４が安全動作を実行した後は、使用者の意思に基づく人為操作が行われるまで、あるいは、電源投入後は、使用者による初回の人為操作が行われるまでの間は、自動運転の実行を禁止する。禁止か許可かをジャンパースイッチ５６，５７の使用者の選択に基づく切換設定により変更してもよい。【選択図】      図２
2004198051.tif 000002
【特許請求の範囲】
【請求項１】
湯又は水を加熱して加熱後の湯を供給する給湯器本体と、この給湯器本体の運転を遠隔操作するリモコンとを備えた給湯装置において、
上記リモコンとは別に設置される外部信号出力器から予め定めた条件に従い自動出力される上記給湯器本体の運転のＯＮ・ＯＦＦ指令に関する外部信号を受け入れる外部信号入力部と、この外部信号入力部に入力される上記外部信号を受けて上記給湯器本体の運転制御をその給湯器本体の状況に応じて実行する外部入力制御手段とを備えている
ことを特徴とする給湯装置。
【請求項２】
請求項１記載の給湯装置であって、
上記外部信号出力器は所定時間の経過又は所定時期の到来によりＯＮ指令又はＯＦＦ指令についての外部信号を出力するものであり、
上記外部入力制御手段は上記外部信号の入力により給湯器本体の加熱動作を伴う運転のＯＮ・ＯＦＦの切換制御を実行するように構成されている、
給湯装置。
【請求項３】
請求項１又は請求項２に記載の給湯装置であって、
上記給湯器本体は異常発生の検知を受けて安全動作を実行する異常時制御手段を備えており、
上記外部入力制御手段は上記安全動作が実行された状態では上記外部信号を受け入れないように構成されている、
給湯装置。
【請求項４】
請求項１又は請求項２に記載の給湯装置であって、
上記給湯器本体は異常発生の検知を受けて安全動作を実行する異常時制御手段を備えており、
上記外部入力制御手段は上記安全動作が実行された状態では所定のリセット操作信号の入力があるまでは上記外部信号を受け入れないように構成されている、給湯装置。
【請求項５】
請求項１又は請求項２に記載の給湯装置であって、
上記外部入力制御手段は、上記リモコンと給湯器本体との接続異常又は上記リモコンの故障異常のときであっても上記外部信号に基づく上記給湯器本体の運転制御を実行し得るように上記外部信号の受け入れを許可又は禁止に切換えるリモコン対応切換部を備えている、給湯装置。
【請求項６】
請求項１又は請求項２に記載の給湯装置であって、
上記外部入力制御手段は、電源投入状態で人為操作に基づく初回の操作信号の入力を受けるまでは上記外部信号に基づく給湯器本体の運転制御の実行を禁止し得るように上記外部信号の受け入れを許可又は禁止に切換える人為操作対応切換部を備えている、給湯装置。
【請求項７】
請求項１〜請求項６のいずれかに記載の給湯装置であって、加熱後の湯を共通の給湯管路に供給するように２台以上の給湯器本体が並列に連結されてなる、給湯装置。
【発明の詳細な説明】
【０００１】
【発明の属する技術分野】
本発明は、リモコンとは別にコントローラに対し運転ＯＮ・ＯＦＦについての外部信号が予め定められた条件に従い自動入力されるように構成された給湯装置に関する。
【０００２】
【従来の技術】
従来、リモコンとは別にコントローラに対し外部から運転指令信号を入力し得るものとしてテレコントローラが知られている（例えば特許文献１参照）。これは、外出先から電話機を用いて給湯装置等のコントローラに対し運転指令信号を入力させ得るようにしたものである。
【０００３】
【特許文献１】
特開平７−１０７１８５号公報
【０００４】
【発明が解決しようとする課題】
ところで、給湯装置のコントローラは使用者の意思に基づく操作（例えばリモコンの運転スイッチのＯＮ操作）によって制御を開始するのが通常であるところ、使用者の操作によらずして予め決めた条件（例えば特定時間の到来もしくは経過あるいは特定の曜日の到来）で運転スイッチをＯＮ又はＯＦＦに自動的に切換えさせたいという要請がある。特に業務用においてはかかる要請がある。
【０００５】
その一方、このように運転ＯＮが自動的に実行されると、例えば給湯装置に本来搭載されているコントローラが異常状態発生の検知（例えば感震器による地震検知）により燃焼停止等の安全動作を実行する機能を備え、異常状態発生の検知を受けて安全動作の実行により燃焼停止・燃焼再開禁止に制御されたとしても、上記の自動切換により運転ＯＮされて燃焼再開が可能な状態にされてしまうという不都合が生じることになる。
【０００６】
また、異常状態発生が検知されたとしても、その異常状態発生が例えばリモコンの故障もしくはリモコンとの接続異常等であれば、たとえ安全動作が実行されたとしても、燃焼再開を可能にしてもよいばかりでなく、上記の自動的な運転ＯＮを積極的に許容した方が便宜な場合もある。
【０００７】
本発明は、このような事情に鑑みてなされたものであり、その目的とするところは、外部信号により自動的な運転のＯＮ・ＯＦＦ切換を可能とする一方、給湯器本体の状態に応じて上記の外部信号による自動的な運転のＯＮ・ＯＦＦの許容又は禁止の調整を行い得る給湯装置を提供することにある。
【０００８】
【課題を解決するための手段】
上記目的を達成するために、本発明では、湯又は水を加熱して加熱後の湯を供給する給湯器本体と、この給湯器本体の運転を遠隔操作するリモコンとを備えた給湯装置を対象として次の特定事項を備えることとした。すなわち、上記リモコンとは別に設置される外部信号出力器から予め定めた条件に従い自動出力される上記給湯器本体の運転のＯＮ・ＯＦＦ指令に関する外部信号を受け入れる外部信号入力部と、この外部信号入力部に入力される上記外部信号を受けて上記給湯器本体の運転制御をその給湯器本体の状況に応じて実行する外部入力制御手段とを備えることとした（請求項１）。
【０００９】
本発明の場合、外部信号出力器から自動出力されるＯＮ・ＯＦＦ指令に関する外部信号が外部信号入力部に入力されると、この外部信号を外部入力制御手段が受けて給湯器本体の状況に応じてその給湯器本体の運転制御が実行されることになる。このため、リモコンを用いた使用者の意思に基づく人為操作以外に給湯器本体を予め定めた条件に従い自動運転させ得ることになる。しかも、自動運転といえども無条件に自動運転させるのではなくて例えば後述の如く給湯器本体のその時点の状況に応じてその自動運転が実行されるため不都合を生じさせることもない。なお、上記給湯器本体による加熱は例えば燃焼熱による加熱や電気ヒータによる加熱等を適用することができる。
【００１０】
本発明における上記外部信号出力器としては種々のものが適用されるが、なかでも上記外部信号出力器として所定時間の経過又は所定時期の到来によりＯＮ指令又はＯＦＦ指令についての外部信号を出力するものとしてもよく、この場合には上記外部入力制御手段として上記外部信号の入力により給湯器本体の加熱動作を伴う運転のＯＮ・ＯＦＦの切換制御を実行する構成とすればよい（請求項２）。ここで、「給湯器本体の加熱動作を伴う運転のＯＮ・ＯＦＦの切換制御」とは、給湯器本体の運転ＯＮ・ＯＦＦ又は間欠的に加熱して出湯管路内の湯水を保温する即湯運転のＯＮ・ＯＦＦの各切換制御が挙げられる。このような構成を採用すると、例えば朝の特定時刻になれば運転ＯＮ、夜の特定時刻になれば運転ＯＦＦの各外部信号を受け入れて使用者による人為操作を経ずして自動的に運転ＯＮ状態にあるいは運転ＯＦＦ状態に切換えることが可能になる。特に業務用として好適な給湯装置となし得る。
【００１１】
以上の本発明においては、以下に具体的に示す給湯器本体の各種の状況に応じて自動運転の実行を許可したり禁止したりすることにより、さらに実用的な給湯装置とし得る。
【００１２】
第１には、上記給湯器本体に異常発生の検知を受けて安全動作を実行する異常時制御手段を備え、上記外部入力制御手段として上記安全動作が実行された状態では上記外部信号を受け入れない構成としてもよい（請求項３）。この場合には、上記安全動作の実行により加熱動作が禁止された状態では、たとえ運転ＯＮについての外部信号が入力されたとしても、その外部信号は受け入れられずに給湯器本体は加熱動作が禁止された状態に維持されることになる。従って、異常発生の検知に基づき安全動作が実行されたにも拘わらず、自動出力される外部信号に基づいて給湯器本体が運転可能な状態に復帰してしまうという不都合の発生を回避し得る。
【００１３】
第２には、上記給湯器本体に異常発生の検知を受けて安全動作を実行する異常時制御手段を備え、上記外部入力制御手段として上記安全動作が実行された状態では所定のリセット操作信号の入力があるまでは上記外部信号を受け入れない構成としてもよい（請求項４）。この場合には、上記安全動作の実行により加熱動作が禁止された状態では、たとえ運転ＯＮについての外部信号が入力されたとしても、使用者による人為操作、つまり使用者の意思に基づく上記安全動作のリセット操作信号が入力されない限り、上記外部信号は受け入れられずに給湯器本体は加熱動作が禁止された状態に維持されることになる。従って、異常発生の検知に基づき安全動作が実行されたにも拘わらず、自動出力される外部信号に基づいて給湯器本体が運転可能な状態に復帰してしまうという不都合の発生を確実に回避し得る上に、使用者の意思で安全動作が解除（リセット操作）されれば、再び上記外部信号の入力に基づく自動運転が実行されることになる。
【００１４】
第３には、上記外部入力制御手段として、上記リモコンと給湯器本体との接続異常又は上記リモコンの故障異常のときであっても上記外部信号に基づく上記給湯器本体の運転制御を実行し得るように上記外部信号の受け入れを許可又は禁止に切換えるリモコン対応切換部を備えるものとしてもよい（請求項５）。ここで、上記の「接続異常」とは全くの未接続であるがゆえの異常や、接続されてはいてもコネクタ等の接続不良に起因する異常のことであり、「故障異常」とはリモコン自体の故障や、接続ライン等の不良に起因する異常のことである。上記の如きリモコン対応切換部を備えると、予め使用者の選択によりリモコン対応切換部を許可側か禁止側かに切換えておくことにより、リモコンの接続異常や故障異常のときにでも外部信号を受け入れて給湯器本体を自動運転させたり、逆に外部信号の受け入れを禁止させて自動運転を実行させないようにしたりすることが可能になる。このため、リモコンの接続異常や故障異常が発生してリモコン操作による給湯器本体の運転作動が不能になったとしても、使用者の選択に基づく切換により上記外部信号に基づく給湯器本体の自動運転を行わすことが可能になる。
【００１５】
第４には、上記外部入力制御手段として、電源投入状態で人為操作に基づく初回の操作信号の入力を受けるまでは上記外部信号に基づく給湯器本体の運転制御の実行を禁止し得るように上記外部信号の受け入れを許可又は禁止に切換える人為操作対応切換部を備えるものとしてもよい（請求項６）。この場合には、給湯装置に対する電源投入が行われた後に、使用者による最初の人為操作が行われるまでは外部信号の入力に基づく自動運転の実行が禁止される一方、最初の人為操作（例えばリモコンの運転スイッチのＯＮ操作）が行われた後は外部信号の入力に基づく自動運転の実行が許可されることになる。これにより、上記人為操作が行われる前までに給湯器本体が万が一の異常状態が発生していた場合に外部信号に基づく自動運転の実行を禁止することが可能になる一方、人為操作が行われれば使用者が上記の異常状態の発生を認識した上で給湯器本体の運転を開始させていると判断して外部信号に基づく自動運転を実行させることが可能になる。
【００１６】
さらに、以上の本発明の給湯装置は、加熱後の湯を共通の給湯管路に供給するように２台以上の給湯器本体を並列に連結したものとすることができる（請求項７）。これにより、業務用としてより一層好適なものを提供し得る。
【００１７】
【発明の効果】
以上、説明したように、請求項１〜請求項７のいずれかの給湯装置によれば、リモコンを用いた使用者の意思に基づく人為操作以外に給湯器本体を予め定めた条件に従い自動運転させることができる。しかも、自動運転といえども無条件に自動運転させるのではなく、給湯器本体のその時点の状況に応じて自動運転が実行されるため不都合の発生を防止することができる。
【００１８】
特に、請求項２によれば、給湯装置が特に業務用として用いられる場合にその業務時間帯に応じて外部信号に基づく自動運転を実行させることができ、特に業務用として好適な給湯装置を提供することができる。
【００１９】
請求項３によれば、異常発生の検知に基づき安全動作が実行されたにも拘わらず、自動出力される外部信号に基づいて給湯器本体が運転可能な状態に復帰してしまうという不都合の発生を回避することができる。
【００２０】
請求項４によれば、異常発生の検知に基づき安全動作が実行されたにも拘わらず、自動出力される外部信号に基づいて給湯器本体が運転可能な状態に復帰してしまうという不都合の発生を確実に回避することができる上に、使用者の意思で安全動作が解除されれば、上記外部信号の入力に基づく自動運転を実行させることができるようになる。
【００２１】
請求項５によれば、リモコンの接続異常や故障異常が発生してリモコン操作による給湯器本体の運転作動が不能になったとしても、使用者の選択に基づくリモコン対応切換部の切換により外部信号に基づく給湯器本体の自動運転を行わすことができるようになる。
【００２２】
請求項６によれば、給湯装置に対する電源投入が行われた後に、使用者による最初の人為操作が行われる前までに給湯器本体が万が一の異常状態が発生していた場合に外部信号に基づく自動運転の実行を禁止することができる一方、人為操作があれば使用者が上記の異常状態の発生を認識した上で給湯器本体の運転を開始させていると判断して外部信号に基づく自動運転を実行させることができる。
【００２３】
さらに、請求項７によれば、業務用としてより一層好適なものを提供することができる。
【００２４】
【発明の実施の形態】
以下、本発明の実施形態を図面に基づいて説明する。
【００２５】
図１は本発明の実施形態に係る給湯装置を示す。本実施形態の給湯装置では液体燃料を燃焼させることにより加熱するものを例示する。この給湯装置は、ハウジング１内に給湯回路２と、この給湯回路２の途中に介装した缶体３内の熱交換器２１を燃焼熱により加熱する燃焼系４と、この燃焼系４の燃焼制御等により給湯制御を行うコントローラ５と、このコントローラ５に接続された異常検知手段の一つとして地震発生に伴う振動を検知する感震器６と、同じくコントローラ５に接続されたリモコン５１と、同じくコントローラ５に接続された外部信号出力器としての週間プログラムタイマ７とを備えて構成されている。上記の給湯回路２、缶体３及び燃焼系４等により給湯器本体が構成されている。
【００２６】
上記給湯回路２は、水道管と接続され水道水を被加熱媒体として上記熱交換器２１に入水する入水管路２２と、上記熱交換器２１で加熱されたお湯を出湯する出湯管路２３と、この出湯管２３の出湯に対し水道水を混合するためのバイパス管路２４とを備えている。上記出湯管路２３にはカラン８等への一般給湯管８１が接続される。図示省略の浴槽側にも湯を注湯もしくは供給する場合には上記出湯管路２３の途中から分岐管路が連通接続されることになる。
【００２７】
そして、上記入水管路２２には入水温度センサ２５及び入水流量センサ２６が設けられる一方、上記出湯管路２３には燃焼缶体３で加熱された後の出湯温度を検出する出湯温度センサ２７や、給湯量制御弁２８及び給湯温度センサ２９が設けられている。また、上記バイパス管路２４には出湯管路２３からの出湯に対し入水管路２２からの水を所定比で混合するための水混合比例弁３０が介装されている。
【００２８】
一方、上記缶体３には、上部に燃焼系４を構成する燃焼バーナ４１がその火炎を下向きに噴射するように配設され、上下方向中間位置に上記熱交換器２１が横切るように配設され、下部には熱交換後の燃焼排ガスを排出処理する排煙筒３１が開口されている。
【００２９】
上記燃焼バーナ４１は液体燃料として石油（灯油）を燃焼させるリターン式噴霧ノズルを有するガンタイプバーナにより構成されている。この燃焼バーナ４１は、電磁開閉弁４２及び電磁供給ポンプ４３が介装された燃料供給管４４により供給された石油を噴霧して燃焼させ、供給された一部の石油をリターン管４５を通して上記電磁開閉弁４２と電磁供給ポンプ４３との間の燃料供給管４４に対し戻すようになっている。上記リターン管４５には、リターン油の流量を比例制御する流量制御弁４６の他、リターン油の油温を検出する油温検出センサ及びリターン油をリターン側にのみ流す逆止弁が介装されている。そして、上記流量制御弁４６によるリターン油の流量を変更調整することにより、上記燃焼バーナ４１からの噴霧量の変更調整が行われ、これにより、燃焼バーナ４１の燃焼量が変更制御されるようになっている。
【００３０】
なお、図１中４７は上記燃焼バーナ４１から噴霧される石油に着火させる点火トランス、４８は燃焼用空気を供給する送風ファンである。
【００３１】
上記コントローラ５には外部信号入力部として接続端子５２が設けられており、この接続端子５２に対し上記週間プログラムタイマ７が当初から又は後付けにて接続されることにより週間プログラムタイマ７からの外部信号がコントローラ５に入力可能となっている。なお、週間プログラムタイマ７の設置位置としては図１ではハウジング１の外部（例えば近傍位置から１００ｍ程度の遠隔位置）に設置した場合を図示しているが、これに限らず、ハウジング１内の空所に設置するようにしてもよい。また、接続端子５２の配設位置も、コントローラ５から延長してハウジング１の外表面近傍位置に設定してもよい。
【００３２】
先に上記週間プログラムタイマ７について説明すると、この週間プログラムタイマ７はカレンダ機能を有し、使用者が特定の日時を指定してＯＮ指令又はＯＦＦ指令を入力設定しておけば、その日時が到来すればそのＯＮ指令又はＯＦＦ指令を外部信号として自動出力するようになっている。例えば、使用者が特定の曜日（例えば木曜日）から後の特定の曜日（例えば翌週の火曜日）までの各日において特定時刻（例えば午前９時）にＯＮ指令を後の特定時刻（例えば午後１０時）にＯＦＦ指令をそれぞれ出力するように設定したり、特定の曜日だけ特定の時間帯の始めにＯＮ指令を終わりにＯＦＦ指令をそれぞれ出力するように設定したり、各日の特定時刻にＯＮ指令を特定の時間の経過後にＯＦＦ指令を出力するように設定したり、あるいは、各日の特定時刻にＯＦＦ指令だけ出力するように設定したりすれば、上記のＯＮ指令又はＯＦＦ指令が外部信号として自動出力されることになる。
【００３３】
また、上記コントローラ５に接続される感震器６は、所定以上の振動を受けてスイッチが入り地震発生の検知信号、つまり給湯装置の設置されている環境に異常状態が発生していることの検知信号を上記コントローラ５に出力するようになっている。
【００３４】
上記コントローラ５は、ＭＰＵやメモリー等を備え予め見込まれた各種プログラムや回路基板により給湯制御等を行うものであり、上記リモコン（リモートコントローラ）５１を用いた使用者の人為操作による各種操作信号や設定入力信号を受ける他、上記の外部信号出力器としての週間プログラムタイマ７からの外部信号を接続端子５２を介して受けるようになっている。そして、上記コントローラ５は、図２に示すように燃焼系４の燃焼制御等により給湯回路２を用いた給湯運転を行う給湯制御部５３と、異常状態発生の検知信号を受けて燃焼系４の燃焼停止及び燃焼禁止並びに上記リモコン５１での表示により報知等の安全動作を実行する異常時制御手段としての異常時制御部５４と、リモコン５１の状態や感震器６からの検知信号に基づく地震発生有無の状態等の給湯装置が現時点におかれた状態に応じて上記外部信号の入力に基づく自動運転を実行する外部入力制御手段としての外部入力制御部５５とを備えている。加えて、上記コントローラ５（外部入力制御部５５）はリモコン対応切換部としての第１ジャンパースイッチ５６と、人為操作対応切換部としての第２ジャンパースイッチ５７とを具備しており、使用者の選択により各ジャンパースイッチ５６，５７のジャンパーを許可側（導通側）又は禁止側（遮断側）に切換可能とされている。
【００３５】
上記給湯制御部５３による給湯制御を簡単に説明する。使用者が電源を投入しリモコン５１の運転スイッチをＯＮ操作するとコントローラ５の内部運転スイッチがＯＮ状態に切換えられて制御状態となる。この状態において、使用者がカラン８を開いて入水流量センサ２６が最低作動水量以上の流量を検出することにより、燃焼バーナ４１を燃焼作動させて燃焼系４の燃焼制御を開始する。この燃焼制御は使用者がリモコン５１に入力設定した設定給湯温度との関係で定められる号数の燃焼熱となるように行われる。これにより、熱交換器２１が上記燃焼熱により加熱され、入水管路２２からの入水が昇温されて出湯管路２３に出湯される。この際、給湯量制御弁２８が所定開度とされる一方、バイパス管路２４から所定量の水が混合されて、給湯温度センサ２９からの実際の給湯温度が上記設定給湯温度になるように制御するようになっている。そして、使用者がカラン８を閉じて上記入水流量センサ２６が最低作動水量より低い流量を検出することにより上記燃焼バーナ４１の燃焼及び燃焼系４の燃焼制御が停止される。
【００３６】
以下、図３〜図５のフローチャートを参照しつつ上記外部入力制御部５５による制御を中心にして全体の制御について説明する。なお、この制御は使用者が電源を投入することにより開始する。
【００３７】
まず図３に示すように電源が投入状態（ＯＮ状態）であることを確認し（ステップＳ１でＹＥＳ）、次に感震器６が作動（地震発生）したか否かを検知信号の出力の有無により判定し、作動していれば感震器作動を履歴として記憶した後に（ステップＳ２でＹＥＳ，ステップＳ３）、作動していなければそのままステップＳ４に進む（ステップＳ２でＮＯ）。なお、上記の感震器作動の履歴は不揮発性メモリに記憶され、電源がＯＦＦにされてもその履歴は保持されている。従って、今回の電源投入前に生じた地震発生により安全動作が実行され、また地震発生に伴う停電発生により今回の電源投入に至り、上記安全動作の実行後の状態を維持しているケースもあり得る。
【００３８】
ステップＳ４ではリモコン接続が正常に接続されているか異常かの判定を行い、正常に接続されていれば週間プログラムタイマ７（運転入力端子）から入力される外部信号の内容がＯＦＦ指令からＯＮ指令に今回変わったか否かを判定する（ステップＳ４でＹＥＳ，ステップＳ５）。変化していなければ（ステップＳ５でＮＯ）、リモコン５１の運転スイッチが人為操作（使用者の意思に基づく手動操作）によりＯＮ操作されたか否かをＯＮ操作に伴い出力されるＯＮ操作信号の有無に基づいて判定し（ステップＳ６）、ＯＮ操作されたのであれば内部運転スイッチをＯＮ状態（制御状態）に切換えてからステップＳ８に進む（ステップＳ６でＹＥＳ，ステップＳ７）。
【００３９】
一方、上記のステップＳ５で外部信号の内容がＯＦＦ指令からＯＮ指令に変化していれば（ステップＳ５でＹＥＳ）、今回の電源投入後にリモコン５１の運転スイッチ等が人為操作により１回以上操作（運転スイッチであればＯＮ操作）されたか否かを判定する（ステップＳ９）。そして、電源投入後の初回の人為操作（運転スイッチの手動によるＯＮ操作）が既に行われていれば（ステップＳ９でＹＥＳ）、上記内部運転スイッチをＯＮ状態に切換えてステップＳ８に進む（ステップＳ７）。
【００４０】
逆に、初回の人為操作が未だに行われてはいない状態であれば（ステップＳ９でＮＯ）、上記の第２ジャンパースイッチ５７がＯＮ状態（禁止側へ切換えられた状態）であるか否かを判定し（ステップＳ１０）、ＯＦＦ状態（許可側に切換えられた状態）であればステップＳ９での人為操作がなくてもステップＳ７に進んで内部運転スイッチをＯＮ状態に切換える（ステップＳ１０でＮＯ）。上記第２ジャンパースイッチ５７がＯＮ状態であればリモコン５１の表示部に所定のエラー表示（故障表示）を行い（ステップＳ１１）、週間プログラムタイマ（運転入力端子）７からＯＮ指令に関する外部信号（ステップＳ５）が入力していてもその外部信号を受け付けないようにする（ステップＳ１２）。つまり、外部信号に基づく自動運転の実行を禁止する。これは、今回の出源投入以前の前回の運転中に感震器６が作動し、その結果、異常時制御部５４により安全動作が実行されたままの状態になっている場合を想定し、使用者による何らかの人為操作による解除意思があるまでは自動運転を禁止しようとするものである。そして、その後、リモコン５１の運転スイッチに対し使用者の人為操作（手動操作）によるＯＮ操作があれば、ステップＳ１１での故障表示を解除して（ステップＳ１３でＹＥＳ，ステップＳ１４）、ステップＳ７での内部運転スイッチのＯＮ状態への切換えに進む。
【００４１】
以上のステップＳ５、ステップＳ９〜ステップＳ１４の処理によって、外部信号としてＯＮ指令が入力した場合、電源投入後に初回の人為操作が行われていることを条件に運転ＯＮの自動運転を実行させることができる。その一方、初回の人為操作が行われていない段階では、第２ジャンパースイッチ５７が使用者の選択に基づき如何に切換設定されているかに応じて、初回の人為操作なしでも外部信号（ＯＮ指令）に基づく自動運転の実行を許可するか、あるいは、初回の人為操作がなされるまでは上記自動運転の実行を禁止するかを選択的に切換えることができる。
【００４２】
上記ステップＳ７での内部運転スイッチのＯＮ切換の次に、感震器６が作動したか否かを検知信号の出力の有無に基づいて判定し（ステップＳ８）、もしも感震器６が作動していれば、週間プログラムタイマ（運転入力端子）７からＯＮ指令に関する外部信号（ステップＳ５）が入力していてもその外部信号を受け付けないようにし（ステップＳ８でＹＥＳ，ステップＳ１５）、異常時制御部５４により安全動作を実行させる（ステップＳ１６）。そして、リモコン５１の運転スイッチをＯＦＦに切換える人為操作があれば、上記の安全動作をリセット（解除）して（ステップＳ１７でＹＥＳ，ステップＳ１８）、ステップＳ１に戻る。つまり、安全動作が実行されても、使用者による人為操作（ＯＦＦ切換操作）があれば、安全動作が実行されていることを認識した上で操作を行っていると判断して、自動制御による安全動作の実行を解除するようにしているものである。なお、この処理においては使用者が電源をＯＦＦ（電源コンセントを抜く）にしても安全動作のリセットは実行しないようにしている。これは、地震発生に伴い停電が発生することがあることを考慮し、かかる停電発生により安全動作がリセットされないようにしているものである。
【００４３】
一方、上記のステップＳ８で感震器６が作動していない場合には、図４に示すように、さらに感震器作動以外で安全動作が必要な異常発生があるか否かを判定し（ステップＳ１９）、異常発生がなければ正常動作（給湯制御部５３による給湯制御）を実行する（ステップＳ１９でＮＯ，ステップＳ２０）。そして、リモコンの運転スイッチが使用者によりＯＦＦ操作されるか（ステップＳ２１でＹＥＳ）、外部信号がＯＮ指令からＯＦＦ指令に切換えられて入力されたか（ステップＳ２２でＹＥＳ）、電源がＯＦＦにされたか（ステップＳ２３でＹＥＳ）すれば、燃焼中であればその燃焼を停止して（ステップＳ２４）、リターンする。上記ステップＳ１９で異常発生があれば（ステップＳ１９でＹＥＳ）、異常時制御部５４により安全動作を実行し（ステップＳ２５）、電源がＯＦＦになっていれば（使用者の人為操作による電源ＯＦＦ又は停電発生）そのままリターンする（ステップＳ２６でＹＥＳ）。電源がそのままＯＮ状態であれば（ステップＳ２６でＮＯ）、外部信号が入力しても自動運転の実行を禁止し（ステップＳ２７）、使用者の人為操作による運転スイッチのＯＦＦ操作又は電源ＯＦＦ操作により上記の安全動作をリセットして（ステップＳ２８）、リターンする。
【００４４】
また、上記のステップＳ４でリモコン５１の接続異常（未接続又は断線等の異常）であれば（ステップＳ４でＮＯ）、図５に示すように第１ジャンパースイッチ５６の切換設定がＯＮ状態（許可側へ切換えられた状態）であるか否かを判定し（ステップＳ２９）、ＯＦＦ状態（禁止側に切換えられた状態）であれば（ステップＳ２９でＮＯ）、そのままリターンして外部信号の入力に基づく自動運転の実行を禁止する。
【００４５】
上記第１ジャンパースイッチ５６がＯＮ状態であれば（ステップＳ２９でＹＥＳ）、リモコン５１を用いずにコントローラ５自体の本体操作に基づき正常動作（給湯制御部５３による給湯制御）を行う（ステップＳ３０，Ｓ３１）。そして、感震器６が作動しているか否かの判定をステップＳ８と同様に行い（ステップＳ３２）、感震器作動であれば（ステップＳ３２でＹＥＳ）、ステップＳ１５〜Ｓ１８の処理を経てステップＳ１に戻る。感震器作動がなければそれ以外の異常発生があるか否かをステップＳ１９と同様に行い（ステップＳ３３）、異常発生があれば（ステップＳ３３でＹＥＳ）、図４のステップＳ２５〜Ｓ２８の処理を経てリターンする。ステップＳ３３で異常発生がなければ（ステップＳ３３でＮＯ）、上記の正常動作を継続して（ステップＳ３４）、リモコン５１の接続異常が正常に復帰すればリターンし（ステップＳ２５でＹＥＳ）、リモコン５１の異常が継続していても電源がＯＦＦにされればリターンする（ステップＳ３６でＹＥＳ）。上記のリモコン５１の異常が継続しかつ電源がＯＮ状態を継続するときには（ステップＳ３５及びＳ３６で共にＹＥＳ）、入力した外部信号がＯＮ指令からＯＦＦ指令に切換えられずに継続する限りステップＳ３４に戻ってステップＳ３５〜Ｓ３７を繰り返し（ステップＳ３７でＮＯ）、ＯＦＦ指令に切換えられて入力すれば（ステップＳ３７でＹＥＳ）燃焼を自動停止する（ステップＳ３８）。この場合には、上記外部信号としてＯＮ指令が入力すれば（ステップＳ３９でＹＥＳ）、再びステップＳ３２〜Ｓ３９を繰り返す。
【００４６】
＜他の実施形態＞
なお、本発明は上記実施形態に限定されるものではなく、その他種々の実施形態を包含するものである。すなわち、上記実施形態では、図１及び図６（ａ）に示すように１台の給湯装置を対象に本発明を適用した場合を示したが、これに限らず、図６（ｂ）又は図６（ｃ）に示すように連結型に構成した給湯装置に本発明を適用してもよい。連結型に本発明を適用する場合には、図６（ｂ）の如く外部信号出力器７を１号機のコントローラ５に接続し外部信号をこの１号機のコントローラ５に入力させて、この外部信号を１号機のコントローラ５から双方向通信可能に接続した２号機のコントローラ５に入力させるようにしてもよいし、図６（ｃ）の如く１つの外部信号入力部５２ａに外部信号出力器７を接続してその外部入力部５２ａに入力した外部信号を１号機〜３号機の各給湯器本体に配信するようにしてもよい。なお、図６（ｃ）には３台を連結した例を示すが、これに限らず、例えば２４台連結等の多数台を連結してもよい。
【００４７】
また、上記実施形態では液体燃料を燃焼させて加熱する給湯装置を示したが、これに限らず、気体燃料（例えば都市ガス）を燃焼させて加熱する給湯装置や、電気ヒータ等により加熱する給湯装置に本発明を適用してもよい。
【００４８】
出湯管路２３の下流側と入水管路２２の下流側（熱交換器２１の入口側）とを結ぶバイパス管路を設けて強制循環可能とし、燃焼バーナ４１を間欠作動させて出湯管路２３内の湯水を所定温度以上に保温・維持させることにより、カラン８を開けば即座に湯が出湯されるという即湯運転が可能な構成を追加するようにしてもよい。そして、この即湯運転のＯＮ・ＯＦＦ指令に関する外部信号を外部信号出力器から自動出力させて即湯運転の自動運転を実行させるようにしてもよい。
【００４９】
上記実施形態では外部信号出力器として週間プログラムタイマ７を示したが、これに限らず、２４時間タイマ機能、１ヶ月カレンダ機能（月間プログラムタイマ）又は１年間カレンダ機能（年間プログラムタイマ）を有し、予め設定した所定時間の経過や所定時刻の到来によりＯＮ指令又はＯＦＦ指令を自動出力するものであれば、外部信号出力器として適用することができる。
【００５０】
さらに、給湯装置を１缶２回路式又は２缶２回路式に構成して浴槽側へも給湯可能な構成としてもよい。
【図面の簡単な説明】
【図１】本発明の実施形態を示す模式図である。
【図２】コントローラの内容を示すブロック図である。
【図３】コントローラによる制御内容の一部を示す部分フローチャートである。
【図４】図３に連続する部分フローチャートである。
【図５】図４以外で図３に連続する部分フローチャートである。
【図６】給湯器本体として１台〜複数台連結のものを示し、図６（ａ）は１台のみで構成された場合、図６（ｂ）は２台連結した場合、図６（ｃ）は３台連結した場合をそれぞれ示す。
【符号の説明】
６            感震器
７            週間プログラムタイマ（外部信号出力器）
５１          リモコン
５２，５２ａ  接続端子（外部信号入力部）
５４          異常時制御部（異常時制御手段）
５５          外部入力制御部（外部入力制御手段）
５６          第１ジャンパースイッチ（リモコン対応切換部）
５７          第２ジャンパースイッチ（人為操作対応切換部）
【図１】
2004198051.tif 000003
【図２】
2004198051.tif 000004
【図３】
2004198051.tif 000005
【図４】
2004198051.tif 000006
【図５】
2004198051.tif 000007
【図６】
2004198051.tif 000008